(57)【要約】【課題】継続的に骨盤を上下・左右・前後に三次元的に回転させるエクササイズを楽しむことができるとともに、骨盤周りの筋肉を鍛えることができる骨盤回転サポート具を提供する。【解決手段】回転中心軸の周りに回転可能な板状の回転部３０の一方の側面に回転中心軸から所定の距離に設けられた第１取付部４０と、回転部３０の他方の側面に第１取付部４０に対して回転中心軸を中心として点対称の位置に設けられた第２取付部５０を設け、第１ジョイント６０で第１取付部４０と第１装着部１０を回転可能に取り付け、第２ジョイント７０で第２取付部５０と第２装着部２０を回転可能に取り付ける。第１装着部１０を使用者の左大腿部に装着し、第２装着部２０を使用者の右大腿部に装着し、回転部３０を回転させることにより使用者の骨盤を上下運動あるいは回転運動させることにより、骨盤周りの筋肉を鍛えることができ、ひいては、骨盤の歪みの矯正効果も期待できる。【選択図】図１
2014128421.tif 000002
【特許請求の範囲】
【請求項１】
使用者の左大腿部に装着するための第１装着部と、
前記使用者の右大腿部に装着する第２装着部と、
回転中心軸の周りに回転可能な回転部と、
前記回転部の一方の側面に前記回転中心軸から所定の距離に設けられた第１取付部と、
前記回転部の他方の側面に、前記第１取付部に対して前記回転中心軸を中心として点対称の位置に設けられた第２取付部と、
前記第１取付部に前記第１装着部を回転可能に取り付けるための第１ジョイントと、
前記第２取付部に前記第２装着部を回転可能に取り付けるための第２ジョイントと、
を備えたことを特徴とする骨盤回転サポート具。
【請求項２】
請求項１に記載の骨盤回転サポート具において、
前記第１取付部及び前記第２取付部は、
それぞれ前記第１ジョイント及び前記第２ジョイントの一端を挿入して固定する孔であり、該孔は、前記回転部の回転中心軸から複数の異なる距離に設けられ、
前記第１ジョイント及び前記第２ジョイントは、
一端が前記第１取付部及び前記第２取付部の孔に挿入可能な外径を有していることを特徴とする骨盤回転サポート具。
【請求項３】
請求項１又は請求項２に記載の骨盤回転サポート具において、
前記第１装着部及び前記第２装着部は、
ベルト状に形成され、両端部を面ファスナーで固定する装着帯を備えていることを特徴とする骨盤回転サポート具。
【請求項４】
請求項１〜請求項３のいずれか１項に記載の骨盤回転サポート具において、
前記回転部の回転数をカウントし表示するカウンタを備えていることを特徴とする骨盤回転サポート具。
【発明の詳細な説明】
【技術分野】
【０００１】
本発明は、両脚の間に装着し、両脚の動きによって回転作動をさせることにより、骨盤を回転運動させる骨盤回転サポート具に関する。
【背景技術】
【０００２】
従来、仙腸関節のずれの矯正を自分で簡単にできるようにした仙腸関節矯正ベルトがある。この仙腸関節矯正ベルトは、両端部が二股状になった弾性体のベルトと、そのベルトの中央に設けられたクッション等から構成され、ベルト両端の二股部分に面ファスナーが取り付けられている。
【０００３】
使用するときには、使用者が仰向けになり両脚を肩幅に開いた状態で、両膝を６０度位に曲げ立て、片膝にベルト一端の二股部分を巻き付け、面ファスナーで固定し、他方の膝にもベルト他端の二股部分を巻き付け、面ファスナーで固定する。
【０００４】
そして、仙腸関節矯正ベルトの中央部分に設けたクッションを、両膝をゆっくり閉じて挟んだ後に両膝を開くという動作を繰り返すことで仙腸関節を刺激し、仙腸関節を矯正するというものである（例えば特許文献１参照）。
【先行技術文献】
【特許文献】
【０００５】
【特許文献１】特開２００３−１４４４７０号公報
【発明の概要】
【発明が解決しようとする課題】
【０００６】
ところが、上記仙腸関節矯正ベルトでは、使用者は、弾性体のベルトによって負荷を掛けた状態で膝の開閉運動を行うのみであり、骨盤を上下・左右・前後に三次元的に回転させる運動を行うことができないため、骨盤周りの筋肉、例えば、内転筋や腹斜筋などを保擬したり鍛えたりすることができないという問題があった。また、負荷を掛けた状態で、膝の開閉運動を行うだけであるため、運動が楽しくなく、継続的に使用するのが困難である（いわゆる飽きがくる）という問題があった。
【０００７】
本発明は、こうした問題に鑑みなされたもので、継続的に骨盤を上下・左右・前後に三次元的に回転させるエクササイズを楽しむことができるとともに、骨盤周りの筋肉を鍛えることができる骨盤回転サポート具を提供することを目的とする。
【課題を解決するための手段】
【０００８】
この欄においては、発明に対する理解を容易にするため、必要に応じて「発明を実施するための形態」欄において用いた符号を付すが、この符号によって請求の範囲を限定することを意味するものではない。
【０００９】
上記「発明が解決しようとする課題」において述べた問題を解決するためになされた発明は、第１装着部（１０）、第２装着部（２０）、回転部（３０）、第１取付部（４０）、第２取付部（５０）、第１ジョイント（６０）及び第２ジョイント（７０）を備えた骨盤回転サポート具（１）である。
【００１０】
第１装着部（１０）は、使用者の左大腿部に装着するためのものであり、第２装着部（２０）は、使用者の右大腿部に装着するものである。また、回転部（３０）は、回転中心軸の周りに回転可能なものである。
【００１１】
第１取付部（４０）は、回転部（３０）の一方の側面に前記回転中心軸から所定の距離に設けられたものであり、第２取付部（５０）は、回転部（３０）の他方の側面に、第１取付部（４０）に対して回転中心軸を中心として点対称の位置に設けられたものである。
【００１２】
第１ジョイント（６０）は、第１取付部（４０）に前記第１装着部（１０）を回転可能に取り付けるためのものであり、第２ジョイント（７０）は、第２取付部（５０）に第２装着部（２０）を回転可能に取り付けるためのものである。
【００１３】
このような骨盤回転サポート具（１）では、第１装着部（１０）及び第２装着部（２０）により回転部（３０）が使用者の両大腿部に装着される。回転部（３０）と第１装着部（１０）及び第２装着部（２０）とは、第１ジョイント（６０）と第１取付部（４０）及び第２ジョイント（７０）と第２取付部（５０）により回転可能に取り付けられている。
【００１４】
さらに、第１取付部（４０）及び第２取付部（５０）は、回転部（３０）の回転中心軸から所定の距離離れた位置に設けられており、互いに回転中心軸を中心として点対称の位置にある。
【００１５】
すると、第１取付部（４０）及び第２取付部（５０）に取り付けられている第１ジョイント（６０）及び第２ジョイント（７０）は、回転部（３０）の回転中心軸に対して偏心して回転する。したがって、使用者が骨盤回転サポート具（１）を左右の大腿部に装着して両大腿部を上下・左右・前後に回転（ローリング）させるなどの運動を行うと、回転部（３０）が回転する。
【００１６】
換言すれば、回転部（３０）を回転させるように左右の大腿部を運動させると、必然的に左右の大腿骨が上下するため、骨盤を構成する寛骨や仙骨が上下運動することになり、骨盤周りの筋肉、例えば、内転筋や腹斜筋などを動かしてほぐすことができるという効果を期待できる。
【００１７】
また、回転運動時を持続的に行うことにより骨盤周りの筋肉を鍛えるとともに、下腹部の引締めやヒップアップの効果、あるいは、ふくらはぎの強化も期待できる。さらに、骨盤周りの筋肉を鍛えることができるので、骨盤の歪みを矯正や姿勢の矯正という効果も期待できる。
【００１８】
また、回転部（３０）を回転させることは、従来のように弾性体のバンドを両脚に取り付けて両脚を開閉運動することに比較して楽であり、回転板が回転するというアミューズメント性も有することから、運動を継続して続行する、つまり飽きがこない状態で、楽しみながら骨盤回転サポート具（１）を継続的に使用することもできるようになる。
【００１９】
また、請求項２に記載のように、第１取付部（４０）及び前記第２取付部（５０）を、それぞれ第１ジョイント（６０）及び第２ジョイント（７０）を挿入して固定する孔とし、その孔を、回転部（３０）の回転中心軸から複数の異なる距離に設け、さらに、第１ジョイント（６０）及び第２ジョイント（７０）は、一端が第１取付部（４０）及び第２取付部（５０）の孔に挿入可能な外径を有しているとよい。
【００２０】
このようにすると、回転部（３０）を回転させる運動の慣れや骨盤を上下や回転させる際の上下量や回転半径を、使用者の要求に合わせて、第１ジョイント（６０）及び第２ジョイント（７０）を第１取付部（４０）及び第２取付部（５０）に抜き差しすることにより、容易に変更することができる。
【００２１】
したがって、使いやすく、かつ、骨盤矯正の効果も得やすい骨盤回転サポート具（１）とすることができる。
ところで、第１装着部（１０）及び第２装着部（２０）をそれぞれ左右の大腿部に装着させるための機構としては、種々のものが考えられるが、請求項３に記載のように、第１装着部（１０）及び第２装着部（２０）は、ベルト状に形成され、両端部を面ファスナーで固定する装着帯（１２，２２）を備えるようにすると、ベルト状の帯部を大腿部に巻き付け、面ファスナーで密着固定するという簡単な方法で骨盤回転サポート具（１）を装着することができ、扱いやすいものとすることができる。
【００２２】
さらに、請求項４に記載のように、回転部（３０）の回転数をカウントし表示するカウンタ（８０）を備えていると、使用者は、どの程度の回転数で効果が得られたかを把握することができるので便利である。
【図面の簡単な説明】
【００２３】
【図１】骨盤回転サポート具の概略の構成を示す外観図である。
【図２】第１装着部の概略の構成を示す外観図である。
【図３】装着帯に第１ジョイントを取り付ける様子を示す図である。
【図４】回転部の概略の構成を示す外観図である。
【図５】回転部の左筐体の概略の構成を示す外観図である。
【図６】回転部の右筐体の概略の構成を示す外観図である。
【図７】第１ジョイントの概略の構成を示す外観図である。
【発明を実施するための形態】
【００２４】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
図１は、本発明が適用された骨盤回転サポート具１の概略の構成を示す外観図である。骨盤回転サポート具１は、図１に示すように、第１装着部１０、第２装着部２０、回転部３０、第１取付部４０、第２取付部５０、第１ジョイント６０、第２ジョイント７０及びカウンタ８０を備えている。
【００２５】
第１装着部１０は、図２に示すように、使用者の左大腿部に装着するための部品であり、装着帯１２と装着孔１４とを備えている。装着帯１２は、ゴムや樹脂などの弾性材料をベルト状に形成したものであり、両端部に面ファスナー１６を装着してある。
【００２６】
使用者は、装着帯１２を、軽く引っ張りながら左大腿部に巻き付けた状態で、装着帯１２の両端の面ファスナー１６を密着させることにより、左大腿部に骨盤回転サポート具１を固定する。
【００２７】
また、装着帯１２を左大腿部に巻き付ける際には、左膝近傍に巻き付けて、膝を回転させる方法が骨盤を回転運動させるための効率がよく、また、運動もやりやすい。そこで、装着帯１２には、左大腿部に巻き付けたときに、左大腿部の前面に当たる部分にウレタン製のクッション１８を装着してある。
【００２８】
すると、クッション１８が左膝をカバーすることになり、膝を回転させたときに左膝と装着帯１２とが擦れて、運動中に左膝が痛くなるようなことがなくなる。
また、図３に示すように、装着帯１２には、装着孔１４が設けられている。この装着孔１４の縁部の外側に４箇所のボス１９を設け、このボス１９に、後述する第１ジョイント６０のフランジ６４を装着することにより、第１ジョイント６０を装着帯１２に固定するようになっている。
【００２９】
第２装着部２０は、第１装着部１０と左右対象の構成であり、第１装着部１０と同様に、装着帯２２と装着孔２４を備えており、使用者は、装着帯２２を右大腿部に巻き付けて、両端の面ファスナー２６を密着させることにより、右大腿部に骨盤回転サポート具１を固定する。
【００３０】
また、装着孔２４の外側に、後述する第２ジョイント７０を装着することにより、第２ジョイント７０を第２装着部２０に固定する。
回転部３０は、回転中心軸の周りに回転可能な部品であり、図４に示すように、中心部分の厚さが縁部よりも大きい、円盤投げに用いられるような円盤状の回転板であり、左筐体３２と右筐体３４から構成されている。
【００３１】
左筐体３２は、左筐体３２を表側から見た図５（ａ）に示すように、底面が広いお椀状になっており、左筐体３２を裏側から見た図５（ｂ）に示すように、内面の中心部と縁部内側の４箇所に等間隔に突起部３２ａ〜３２ｅが設けられている。
【００３２】
この突起部３２ａ〜３２ｅは、中心部が凹状となっており、円周方向にエッジが形成されている。
また、左筐体３２の円周方向の外周部分は、使用者の左右の大腿部が接触しても痛くないように、滑らかに加工されているが、さらに、この部分にゴムなどを装着して、クッションとなるようにしてもよい。
【００３３】
右筐体３４は、右筐体３４を表側から見た図６（ａ）に示すように、左筐体３２に側面から被せる蓋のようになっており、右筐体３４を裏側から見た図６（ｂ）に示すように、内面の中心部と縁部内側の４箇所に、左筐体３２の突起部３２ａ〜３２ｅと対向する位置に、突起部３４ａ〜３４ｅが設けられている。
【００３４】
この突起部３４ａ〜３４ｅは、中心部が凸部、その周りに凹部となるように、円周方向に溝が設けられており、その溝に左筐体３２の突起部３２ａ〜３２ｅのエッジ部分を挿入して押し込むことにより左筐体３２と右筐体３４とを一体化するようになっている。
【００３５】
第１取付部４０は、回転部３０の一方の側面（図５（ａ）中では左側面）に回転中心軸から所定の距離に設けられた部分であり、後述する第１ジョイント６０を挿入して固定する孔である。
【００３６】
この孔には、外径が孔の内径と同じで、内径が後述する第１ジョイント６０の第１挿入部６２の外径より少し小さなプラスチック製の図示しないリングが挿入されており、第１挿入部６２を押し込むようにして挿入することにより、第１ジョイント６０を固定するとともに、このリングが回転することにより、第１ジョイント６０が回転できるようになっている。
【００３７】
また、孔は１個だけでなく、回転部３０の回転中心軸から複数（本実施形態では、３個）の異なる距離に設けられている。
第２取付部５０は、回転部３０の他方の側面（図６（ａ）中では左側面）に、回転中心軸を中心として、第１取付部４０と点対称の位置に設けられた部分であり、第１取付部４０と同様に、後述する第２ジョイント７０を挿入して固定する孔である。
【００３８】
また、孔は複数（本実施形態では、３個）設けられており、各孔は、第１取付部４０に設けられた孔に対して、回転部３０の回転中心軸を中心として点対称の位置に設けられている。
【００３９】
第１ジョイント６０は、第１取付部４０に第１装着部１０を回転可能に取り付けるための部品であり、図７（図７（ａ）は、正面図及び左右上下側面図、図７（ｂ）は、底面図である）に示すように、プラスチック製の中空の丸棒材である。そして、一端（第１取付部４０側）には、外径が第１取付部４０のリングの内径より少し大きな第１挿入部６２を有している。
【００４０】
また、他端（第１装着部１０側）には、第１装着部１０の装着孔１４の内径より大きな外径を有するフランジ６４が設けられている。また、このフランジ６４には、装着帯１２の４個のボス１９に対応する位置に４個の孔が設けられている。
【００４１】
第１ジョイント６０を第１装着部１０に取り付ける際には、図３に示すように、フランジ６４の４個の孔に装着帯１２のボス１９を挿入し、ピン６６をボス１９に挿入することによって、フランジ６４を装着帯１２に固定する。
【００４２】
さらに、図３に示すように、フランジ６４の内部にジョイントピン６８が挿入される。このジョイントピン６８は樹脂製であり、先端が矢尻状に形成されている。
そして、フランジ６４の内部に挿入された状態で、フランジ６４の第１挿入部６２を第１取付部４０としての孔に挿入し、ジョイントピン６８を、装着孔１４の内側から更に押し込んで、矢印状の先端を第１取付部４０としての孔に挿入し、先端に矢印状の背の部分を、孔を形成する壁面に接触させて第１ジョイント６０を回転部３０に固定、つまり、第１装着部１０を回転部３０に固定する。
【００４３】
第２ジョイント７０は、第２取付部５０に第２装着部２０を回転可能に取り付けるための部品であり、図７に示すように、第１ジョイント６０と同じように、プラスチック製の中空の丸棒材であり、一端（第２取付部５０側）には、外径が第２取付部５０のリングの内径より少し大きな第２挿入部７２を有している。
【００４４】
また、他端（第２装着部２０側）には、第２装着部２０の装着孔２４の内径より大きな外径を有するフランジ７４が設けられている。
そして、第１ジョイント６０と同様にして、フランジ７４を装着帯２２に固定する。また、第１ジョイント６０と同様にして、第２ジョイント７０を回転部３０に固定、つまり、第２装着部２０を回転部３０に固定する。
【００４５】
カウンタ８０は、回転部３０の回転数をカウントし表示するものであり、図５に示すように、左筐体３２の表面側がカウント値の表示面となるように左筐体３２に取り付けられている。
【００４６】
このカウンタ８０は、回転部３０が回転したときの回転部３０の上下の運動を検出し、その上下運動をカウントするようになっている。
（骨盤回転サポート具１の特徴）
以上のような骨盤回転サポート具１では、第１装着部１０及び第２装着部２０により回転部３０が使用者の両大腿部に装着される。
【００４７】
また、回転部３０と第１装着部１０及び第２装着部２０とは、第１ジョイント６０と第１取付部４０及び第２ジョイント７０と第２取付部５０により回転可能に取り付けられている。
【００４８】
さらに、第１取付部４０及び第２取付部５０は、回転部３０の回転中心軸から所定の距離離れた位置に設けられており、互いに回転中心軸を中心として点対称の位置にある。
すると、第１取付部４０及び第２取付部５０に取り付けられている第１ジョイント６０及び第２ジョイント７０は、回転部３０の回転中心軸に対して偏心して回転する。したがって、使用者が骨盤回転サポート具１を左右の大腿部に装着して両大腿部を上下や垂直面に対して回転させるなどの運動を行うと、回転部３０が回転する。
【００４９】
換言すれば、回転部３０を回転させるように左右の大腿部を運動させると、必然的に左右の大腿骨が上下するため、骨盤を構成する寛骨や仙骨が上下運動することになり、骨盤周りの筋肉、例えば、内転筋や腹斜筋などを動かしてほぐすことができるという効果を期待できる。
【００５０】
また、回転運動時を持続的に行うことにより骨盤周りの筋肉を鍛えるとともに、下腹部の引締めやヒップアップの効果、あるいは、ふくらはぎの強化も期待できる。さらに、骨盤周りの筋肉を鍛えることができるので、骨盤の歪みを矯正や姿勢の矯正という効果も期待できる。
【００５１】
また、回転部３０を回転させることは、従来のように弾性体のバンドを両脚に取り付けて両脚を開閉運動することに比較して楽であり、回転板が回転するというアミューズメント性も有することから、継続して続行する、つまり骨盤回転サポート具１を楽しみながら継続的に使用することもできるようになる。
【００５２】
また、第１取付部４０及び前記第２取付部５０を、それぞれ第１ジョイント６０及び第２ジョイント７０を挿入して固定する孔とし、その孔を、回転部３０の回転中心軸から複数の異なる距離に設けてある。
【００５３】
したがって、回転部３０を回転させる運動の慣れや骨盤を上下や回転させる際の上下量や回転半径を使用者の要求に合わせて容易に変更することができるため、使いやすく、かつ、骨盤矯正の効果も得やすい骨盤回転サポート具１となっている。
【００５４】
さらに、ベルト状の帯部を大腿部に巻き付け、面ファスナーで密着固定するという簡単な方法で骨盤回転サポート具１を装着することができ、扱いやすいものとなっている。
また、回転部３０の回転数をカウントするカウンタ８０を備えているため、使用者は、どの程度の回転数で効果が得られたかを把握することができ、便利である。
【００５５】
以上、本発明の実施形態について説明したが、本発明は、本実施形態に限定されるものではなく、種々の態様を採ることができる。
（１）上記実施形態では、回転部３０の形状を円盤状としたが、他の形状、例えば楕円形状や、敢えて、左右大腿部の引っかかりやすく回転させにくい四角形状にしてアミューズメント製を持たせるようにしてもよい。
（２）上記実施形態では、第１ジョイント６０及び第２ジョイント７０をプラスチック製としたが、スチールやアルミなどの金属の中空の丸棒材として強度を向上させるようにしてもよい。
（３）上記実施形態では、カウンタ８０は、回転部３０が回転したときの回転部３０の上下の運動を検出し、その上下運動をカウントするようになっていたが、第１ジョイント６０又は第２ジョイント７０の回転数をカウントするようになっていてもよい。
【００５６】
また、カウンタ８０は、カウント値のリセット（カウント値を０にすること）ができないような構成になっていてもよい。このように、リセットができない構成のカウンタ８０の場合には、骨盤回転サポート具１の使用を開始してから累積の回転数が分かるので、エクササイズの効果の把握をすることができるとともに、エクササイズを継続的に行う際の動機付けの効果も期待できる。
（４）また、カウンタ８０以外にも、回転速度を計測して表示する回転速度計を回転部３０に取り付けてもよい。このとき、例えば、最大回転速度を表示するようにすれば、回転速度に対するエクササイズの効果を把握することができるとともに、複数の使用者で回転速度を比較することにより、アミューズメント性を高めることもできる。
（５）さらに、音や音楽が出るようにしてもよい。この場合、第１ジョイント６０や第２ジョイント７０に小型のジェネレータを内蔵し、回転部３０が回転するときに、そのジェネレータで発電した電力によって、回転音や音楽を発生させるようにする。
（６）また、例えば、回転させると色が変化するようなベンハムのコマのような模様を回転部３０の表面に描くようにして、アミューズメント効果を高めるようにしてもよい。
（７）上記実施形態では、使用者が回転部３０を大腿部の回転運動で回転させるようにしていたが、回転部３０をモータで回転させるようにしてもよい。この場合、例えば、回転部３０の回転中心部分にモータと電池を内蔵させ、第１ジョイント６０と第２ジョイント７０の外周にギアを形成し、モータの回転力をギアで第１ジョイント６０と第２ジョイント７０に伝達するようにして回転部３０を回転させるようにする。
【００５７】
このように、回転部３０を電動で回転させることにより、楽に回転運動を行うことができ、継続的な使用がよりできるようになる。
【符号の説明】
【００５８】
１… 骨盤回転サポート具  １０… 第１装着部  １２… 装着帯  １４… 装着孔  １６… 面ファスナー  １８… クッション  １９… ボス  ２０… 第２装着部  ２２… 装着帯  ２４… 装着孔  ２６… 面ファスナー  ３０… 回転部  ３２… 左筐体  ３２ａ，３２ｂ，３２ｃ，３２ｄ，３２ｅ… 突起部  ３４… 右筐体  ３４ａ，３４ｂ，３４ｃ，３４ｄ，３４ｅ… 突起部  ４０… 第１取付部  ５０… 第２取付部  ６０… 第１ジョイント  ６２… 第１挿入部  ６４… フランジ  ６６… ピン  ６８… ジョイントピン  ７０… 第２ジョイント  ７２… 第２挿入部  ７４… フランジ  ７６… ピン  ７８… ジョイントピン  ８０… カウンタ。
【図１】
2014128421.tif 000003
【図２】
2014128421.tif 000004
【図３】
2014128421.tif 000005
【図４】
2014128421.tif 000006
【図５】
2014128421.tif 000007
【図６】
2014128421.tif 000008
【図７】
2014128421.tif 000009